(57)【要約】【課題】液漏れし難く装着感の良い吸収性物品を提供する。【解決手段】透液性の表面シート２０と、不透液性の裏面シート３０と、表面シート２０と裏面シート３０との間に介装される吸収体６０と、を備え、人体に装着される外装体に取り付けられて使用され、装着時に、着用者の腹側に位置する腹側部１１と、背側に位置する背側部１２と、腹側部１１と背側部１２との間に位置する股下部１３と、脚周りに位置する二つの脚周り部１４と、を備える吸収性物品１において、装着時に着用者との接触面と反対側の面における少なくとも腹側部１１に設けられ、吸収性物品１を外装体に固定するための固定部材７０を備え、吸収体６０における股下部１３から背側部１２にかけて、背側部１２に向かって間隔が広がるハの字型の一対の第１スリットＳ１，Ｓ１が設けられていることを特徴とする。【選択図】図１
2010269002.tif 000002
【特許請求の範囲】
【請求項１】
透液性の表面シートと、不透液性の裏面シートと、前記表面シートと前記裏面シートとの間に介装される吸収体と、を備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備える吸収性物品において、
装着時に着用者との接触面と反対側の面における少なくとも前記腹側部に設けられ、当該吸収性物品を前記外装体に固定するための固定部材を備え、
前記吸収体における前記股下部から前記背側部にかけて、当該背側部に向かって間隔が広がるハの字型の一対のスリット又は凹部が設けられていることを特徴とする吸収性物品。
【請求項２】
請求項１に記載の吸収性物品において、
前記吸収体は、前記裏面シート側に配置された下層吸収体と、前記表面シート側に配置され、前記下層吸収体よりも吸収速度が速い上層吸収体と、からなる吸収体コアを備え、
前記スリット又は凹部は、前記上層吸収体又は前記下層吸収体に設けられていることを特徴とする吸収性物品。
【請求項３】
請求項２に記載の吸収性物品において、
前記下層吸収体は、前記上層吸収体よりも幅広に形成されており、
前記スリット又は凹部は、前記下層吸収体に設けられていることを特徴とする吸収性物品。
【請求項４】
請求項１〜３の何れか一項に記載の吸収性物品において、
前記表面シート側の前記吸収体の幅方向両側縁部で起立した一対の立体ギャザーを形成するためのギャザーシート及び立体ギャザー用弾性部材と、
当該吸収性物品における前記股下部の両側縁部に平面ギャザーを形成するための平面ギャザー用弾性部材と、
を備えることを特徴とする吸収性物品。
【請求項５】
請求項１〜４の何れか一項に記載の吸収性物品において、
前記吸収体における前記腹側部には、当該吸収体の幅方向中央の位置に、当該吸収体の長手方向に沿って第２スリット又は第２凹部が設けられていることを特徴とする吸収性物品。
【請求項６】
請求項１〜５の何れか一項に記載の吸収性物品において、
前記裏面シートの前記表面シート側の面と反対側の面を覆う不織布からなるバックシートを備えることを特徴とする吸収性物品。
【発明の詳細な説明】
【技術分野】
【０００１】
本発明は、吸収性物品に関する。
【背景技術】
【０００２】
従来、吸収性物品として、おむつやおむつカバー、パンツなどの人体に装着される外装体の内側に取り付けられて使用される吸収パッドが知られている。
このような吸収パッドとして、例えば、吸収体にスリットを入れて、着用者の身体側に向けて凹となるような折り曲げが円滑に行われるようにすることにより、液漏れを抑制できる吸収パッド（使い捨ておむつ）が提案されている（特許文献１参照）。
ところで、吸収パッドの中でも夜用パッドや長時間用パッドなどは、寝ている姿勢をとった状態で使用されることが多い。寝ている姿勢をとった状態では、着用者は寝返りを打ったり体位変換を行ったりする。その際に、着用者は脚を動かすため、吸収パッドが外装体からズレたり、吸収パッドの内部で吸収体がヨレたりワレたりし易いという問題がある。
【先行技術文献】
【特許文献】
【０００３】
【特許文献１】特開２００３−３２５５６３号公報
【発明の概要】
【発明が解決しようとする課題】
【０００４】
しかしながら、特許文献１記載の吸収パッドにおいては、着用者が寝返りや体位変換などを行って身体の向きを変えてもカップ形状（凹形状）に保持されるようにするために、スリットが股下部（吸収パッドの中央）に向かって間隔が広がるハの字型に形成されている。この場合、液漏れを抑制することはできるものの、吸収パッドが外装体からズレてしまうことや、吸収パッドの内部で吸収体がヨレたりワレたりしてしまうことを抑制することはできない。吸収パッドが外装体からズレたり、吸収パッドの内部で吸収体がヨレたりワレたりすると、液漏れし易くなり、また、ごわつきや肌への負担が生じ装着感が悪くなってしまう。
【０００５】
本発明の課題は、液漏れし難く装着感の良い吸収性物品を提供することにある。
【課題を解決するための手段】
【０００６】
上記課題を解決するために、請求項１に記載の発明は、
透液性の表面シートと、不透液性の裏面シートと、前記表面シートと前記裏面シートとの間に介装される吸収体と、を備え、人体に装着される外装体に取り付けられて使用され、装着時に、着用者の腹側に位置する腹側部と、背側に位置する背側部と、前記腹側部と前記背側部との間に位置する股下部と、脚周りに位置する二つの脚周り部と、を備える吸収性物品において、
装着時に着用者との接触面と反対側の面における少なくとも前記腹側部に設けられ、当該吸収性物品を前記外装体に固定するための固定部材を備え、
前記吸収体における前記股下部から前記背側部にかけて、当該背側部に向かって間隔が広がるハの字型の一対のスリット又は凹部が設けられていることを特徴とする。
【０００７】
請求項２に記載の発明は、
請求項１に記載の吸収性物品において、
前記吸収体は、前記裏面シート側に配置された下層吸収体と、前記表面シート側に配置され、前記下層吸収体よりも吸収速度が速い上層吸収体と、からなる吸収体コアを備え、
前記スリット又は凹部は、前記上層吸収体又は前記下層吸収体に設けられていることを特徴とする。
【０００８】
請求項３に記載の発明は、
請求項２に記載の吸収性物品において、
前記下層吸収体は、前記上層吸収体よりも幅広に形成されており、
前記スリット又は凹部は、前記下層吸収体に設けられていることを特徴とする。
【０００９】
請求項４に記載の発明は、
請求項１〜３の何れか一項に記載の吸収性物品において、
前記表面シート側の前記吸収体の幅方向両側縁部で起立した一対の立体ギャザーを形成するためのギャザーシート及び立体ギャザー用弾性部材と、
当該吸収性物品における前記股下部の両側縁部に平面ギャザーを形成するための平面ギャザー用弾性部材と、
を備えることを特徴とする。
【００１０】
請求項５に記載の発明は、
請求項１〜４の何れか一項に記載の吸収性物品において、
前記吸収体における前記腹側部には、当該吸収体の幅方向中央の位置に、当該吸収体の長手方向に沿って第２スリット又は第２凹部が設けられていることを特徴とする。
【００１１】
請求項６に記載の発明は、
請求項１〜５の何れか一項に記載の吸収性物品において、
前記裏面シートの前記表面シート側の面と反対側の面を覆う不織布からなるバックシートを備えることを特徴とする。
【発明の効果】
【００１２】
本発明によれば、装着時に着用者との接触面と反対側の面における少なくとも腹側部に設けられ、吸収性物品を外装体に固定するための固定部材を備え、吸収体における股下部から背側部にかけて、当該背側部に向かって間隔が広がるハの字型の一対のスリット又は凹部が設けられている。
すなわち、固定部材を備えることで、吸収性物品が外装体からズレてしまうことを抑制できる。さらに、吸収体にスリット又は凹部を設けることで、吸収体が着用者の身体の動きに追従し易くなるため、吸収体がヨレたりワレたりしてしまうことを抑制でき、また、スリット又は凹部の位置で吸収性物品が折れ曲がるため、ごわつきを軽減できる。したがって、液漏れし難く装着感の良い吸収性物品を提供することができる。
【図面の簡単な説明】
【００１３】
【図１】本実施形態の吸収性物品の装着時の状態の一例を示す斜視図である。
【図２】本実施形態の吸収性物品の下側の一例を示す平面展開図である。
【図３】本実施形態の吸収性物品の上側の一例を示す平面展開図である。
【図４】本実施形態の吸収性物品が備える吸収体の上側の一例を示す平面展開図である。
【図５】図３のＶ−Ｖ部の一例を示す断面図である。
【図６】図３のＶＩ−ＶＩ部の一例を示す断面図である。
【図７】図３のＶＩＩ−ＶＩＩ部の一例を示す断面図である。
【図８】変形例１の吸収性物品が備える吸収体の一の例を示す平面図である。
【図９】変形例２の吸収性物品が備える吸収体の一の例を示す平面図である。
【図１０】変形例３の吸収性物品の下側の第１の例を示す平面図である。
【図１１】変形例３の吸収性物品の下側の第２の例を示す平面図である。
【図１２】変形例３の吸収性物品の下側の第３の例を示す平面図である。
【図１３】変形例４の吸収性物品の下側の一の例を示す平面図である。
【図１４】変形例５の吸収性物品の一の例を示す断面図である。
【発明を実施するための形態】
【００１４】
以下、図を参照して、本発明の実施の形態を詳細に説明する。ただし、発明の範囲は、図示例に限定されない。
【００１５】
なお、以下の説明では、本実施形態における吸収性物品１を展開した状態において、装着時に人体（着用者）の腹側に位置する側を前側、背側に位置する側を後側、着用者と接触する側を上側、着用者と接触する側の反対側を下側とし、前後方向と上下方向との双方に直交する方向を左右方向とする。
【００１６】
吸収性物品１は、例えば夜用又は長時間用の尿取りパッドであり、おむつやおむつカバー、パンツなどの人体に装着される外装体（図示省略）に着脱・交換自在に取り付けられて使用されるようになっている。
【００１７】
吸収性物品１は、装着時に着用者の股部を腹側から背側にかけて覆うように形成されている。
具体的には、吸収性物品１の一方の端部（前端部）が装着時に着用者の腹側に位置する腹側部１１を形成し、他方の端部（後端部）が装着時に着用者の背側に位置する背側部１２を形成し、腹側部１１と背側部１２との間が着用者の股下に位置する股下部１３を形成する。
背側部１２は、前後方向の長さが腹側部１１よりも長く形成されており、かつ、左右方向の長さが腹側部１１や股下部１３よりも長く形成されている。これにより、背側部１２によって着用者の背側を広く覆うことができるようになっている。
また、股下部１３の両縁部は、腹側部１１から背側部１２に亘って、装着時に着用者の脚周りに位置する二つの脚周り部１４を形成する。この脚周り部１４，１４には、糸ゴム等の平面ギャザー用弾性部材１４１がそれぞれ設けられ、この平面ギャザー用弾性部材１４１により平面ギャザーが形成されている。これにより、着用者の脚周りに伸縮自在にフィットするため、横漏れを抑制できるとともに、着用者の身体の動きに追従し易く吸収性物品１がズレ難くなっている。また、当該平面ギャザーによって、吸収性物品１が自然に湾曲するため、立体ギャザー（後述）を着用者の股下により密着させることができるようになっている。
【００１８】
吸収性物品１は、装着時に着用者との接触面側（上側）に設けられる透液性の表面シート２０と、装着時に着用者との接触面と反対側（下側）に設けられる不透液性の裏面シート３０と、装着時に着用者との接触面と反対側の外部側に設けられる不織布からなるバックシート４０と、表面シート２０と裏面シート３０との間に介装される吸収体６０と、表面シート２０側の吸収体６０の幅方向両側縁部（左側縁部及び右側縁部）に、吸収性物品１の長手方向（前後方向）に沿って備えられたギャザーシート５０，５０と、バックシート４０における腹側部１１に設けられ、吸収性物品１を外装体に固定するための固定部材７０と、により主に構成される。
【００１９】
表面シート２０は、吸収性物品１を装着した際に着用者に接する面を形成し、吸収体６０の上側に設けられ、体液を受けて、吸収体６０まで輸送する役割を果たす、透液性のシートである。
透液性シートとしては、例えば、ナイロン、ポリエチレンテレフタレート等の糸を平織り等したネット状のシート素材、多数の透孔を形成したフィルムシート材、ポリエチレンやポリプロピレンなどのフィルムシート材、透液性を有する織布、不織布が適し、特に不織布が適する。不織布としては、ポリエチレンやポリプロピレンなどのオレフィン系、ポリエステル系、ポリアミド系等の合成繊維、レーヨンやキュプラなどの再生繊維、綿等の天然繊維を繊維素材として、スパンレース法、スパンボンド法、サーマルボンド法、メルトブローン法、ニードルパンチ法等の適宜の加工法によって加工したものを用い得る。
【００２０】
裏面シート３０は、吸収体６０の下側に設けられ、体液等の吸収性物品１外部への染み出し、漏れ出しを防ぐ役割を果たす、不透液性のシートである。
不透液性シートとしては、例えば、ポリエチレンやポリプロピレンなどの少なくとも遮水性を有するシート材であって、ムレ防止の観点から透湿性を有するシート材であることが好ましい。この遮水性と透湿性とを具備するシート材としては、例えば、ポリエチレンやポリプロピレンなどのオレフィン系樹脂中に無機充填剤を溶融混練してシートを成形した後、一軸又は二軸方向に延伸することにより得られる微多孔性シート材が好適に用いられる。
またその他にも、不透液性を有するフィルム層と、通気性を有する不織布層と、からなるラミ不織布を用いても良い。ラミ不織布とは、例えばポリエチレンシート等に不織布を積層した、ラミネート不織布と呼ばれる不織布のことであり、不透液性と通気性を併せ持つ不織布である。
なお、裏面シート３０は、不透液性のシートであれば、不透湿性であっても良い。
【００２１】
バックシート４０は、吸収性物品１を装着した際に着用者に接する面と反対側の面を形成し、裏面シート３０の表面シート２０側の面と反対側の面（下面）を覆うように設けられた不織布である。これにより、裏面シート３０の傷付きを防止できるようになっている。また、クロスライクさが得られるため、見た目にムレ難さを与えることができるとともに、着用者の肌への負担を軽減させることができる。
バックシート４０としては、例えば、ケミカルボンド不織布、サーマルボンド不織布、スパンレース不織布、スパンボンド不織布、メルトブローン不織布、メルトブローン不織布、ヒートロール不織布、エアスルー不織布、不透液性不織布、或いはこれらの組み合わせからなるシートが挙げられるが、これらに限られるものではない。
【００２２】
ギャザーシート５０，５０は、表面シート２０側において、吸収体６０の長手方向に沿った両側縁部に、腹側部１１から背側部１２に亘ってそれぞれ備えられている。
このギャザーシート５０，５０の幅方向（左右方向）外側の部分は、吸収体６０の側方で表面シート２０及び裏面シート３０の上面に固着されている。また、このギャザーシート５０，５０の幅方向内側の部分は、表面シート２０及び裏面シート３０に固定されておらず、その長手方向（前後方向）に沿って糸ゴム等の立体ギャザー用弾性部材５０１が備えられており、起立して着用者の体型に合わせて伸縮自在に変形可能な一対の立体ギャザーが形成されている。
【００２３】
吸収体６０は、腹側部１１から股下部１３を通り背側部１２に亘る位置に配置された、吸収性物品１の使用時に体液としての尿等の水様成分を吸収する役割を果たすものである。
具体的には、吸収体６０は、例えば、図４〜図７に示すように、綿やパルプなどの吸収性素材や、繊維或いはフィルム等のシート状基材と高吸収性ポリマーのような高吸水性樹脂とが組み合わされて形成された吸収体コア６２が、透液性のクレープ紙６１により覆われて構成されている。ここで、図４においては、吸収体コア６２を覆うクレープ紙６１の外形を仮想線（二点鎖線）で表している。
高吸水性樹脂としては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
なお、吸収体６０において、吸収体コア６２を覆うものは、クレープ紙６１に限ることはなく、透液性の不織布や孔開きシートなどであっても良い。
【００２４】
吸収体コア６２は、表面シート２０側に配置された上層吸収体６２１と、裏面シート３０側に配置された下層吸収体６２２と、からなる二層構造になっている。
上層吸収体６２１は、前後方向に長尺な平面視略矩形状を成しており、下層吸収体６２２の上面中央部に配置されている。
下層吸収体６２２は、上層吸収体６２１よりも幅広に、かつ、下層吸収体６２２における背側部１２の左右方向の長さが、下層吸収体６２２における腹側部１１や股下部１３よりも長くなるよう形成されている。
【００２５】
ここで、吸収性物品１においては、体液を、上層吸収体６２１で素早く吸収して、下層吸収体６２２で保持することができるよう、上層吸収体６２１の体液吸収速度が、下層吸収体６２２よりも速くなるよう調整されている。
吸収速度は、綿やパルプなどの吸収性素材と高吸収性ポリマーのような高吸水性樹脂との比率、高吸水性樹脂の種類等によって調整することができ、具体的には、例えば、上層吸収体６２１は、下層吸収体６２２よりも吸収性素材の目付けが高く、下層吸収体６２２よりも高吸水性樹脂の割合が低くなっている。
これにより、体液を肌から素早く遠ざけることができるため、着用者の不快感や肌への負担を軽減することができる。
【００２６】
また、下層吸収体６２２には、下層吸収体６２２における股下部１３から背側部１２にかけて、背側部１２に向かって間隔が広がるハの字型の一対の第１スリットＳ１，Ｓ１が設けられている。すなわち、下層吸収体６２２には、装着時に着用者の背側における脚の付け根付近に位置する部分に第１スリットＳ１，Ｓ１が設けられている。
装着時に着用者が脚を動かすと、吸収体６０における股下部１３は大きく動くが、第１スリットＳ１，Ｓ１を設けることで、吸収体６０が身体の動きに追従し易くなるため、吸収体６０が吸収性物品１の内部でヨレたりワレたりすることを抑制できる。したがって、液漏れし難くなり、また、装着時に着用者との接触面（吸収性物品１の上面）に溝や山ができ難くなるため、体液を効率よく吸収でき、肌への負担も軽減できる。
また、装着時に着用者が脚を組んだり横向けで寝たりすると、着用者の股下の間隔が狭くなり、吸収性物品１が折れ曲がるが、第１スリットＳ１，Ｓ１を設けることで、第１スリットＳ１，Ｓ１の位置で吸収性物品１が折れ曲がるため、ごわつきが軽減し、装着感が良くなる。
また、第１スリットＳ１，Ｓ１を設けることで、吸収体６０における股下部１３に吸収された体液を、吸収体６０における背側部１２に向けて誘導して、拡散させることができるため、吸収体６０の吸収速度を向上させることができる。
【００２７】
固定部材７０は、吸収性物品１を外装体に接着させて固定する役割を果たす、粘着テープであり、剥離紙を剥がすと粘着部分が露出するようになっている。
固定部材７０は、例えば、図２に示すように、略矩形状をなしており、吸収性物品１を装着した際に着用者に接する面と反対側の面（バックシート４０の下面）における腹側部１１の中央部に備えられている。
ここで、固定部材７０の配置位置は、吸収性物品１のめくれを抑制してズレ難くする等の観点から、腹側部１１のより前側であることが好ましい。また、固定部材７０のサイズは、吸収性物品１を外装体にしっかりと固定させる等の観点から、長さ（前後方向の長さ）が３０ｍｍ以上、幅（左右方向の長さ）が４０ｍｍ以上であることが好ましい。また、粘着テープには透湿性（通気性）がないため、特に裏面シート３０として透湿性を有する不透液性のシートを採用した場合には、裏面シート３０による通気を阻害しない等の観点から、固定部材７０の面積は、バックシート４０（裏面シート３０）の面積の２０％未満であることが好ましい。
また、粘着テープをホットメルトで形成する場合、ホットメルトの目付けが高いほど（ホットメルトの塗布量が多いほど）粘着力は高くなるが、粘着力が高すぎると、外装体としておむつを採用した際に、吸収性物品１の交換時に当該おむつのトップシート（表面シート）を毛羽立たせてしまうおそれがあるため、ホットメルトの目付けは２０〜６０ｇ／ｍ２が好ましく、４０〜５０ｇ／ｍ２がより好ましい。
なお、固定部材７０は、粘着テープに限ることはなく、吸収性物品１を外装体に固定させることができる部材であれば任意であり、例えば、面ファスナであっても良いが、できるだけやわらかい素材のものの方が着用者の身体の動きに追従し易く、好適である。
【００２８】
以上説明した本実施形態の吸収性物品１によれば、透液性の表面シート２０と、不透液性の裏面シート３０と、表面シート２０と裏面シート３０との間に介装される吸収体６０と、を備え、人体に装着される外装体に取り付けられて使用され、装着時に、着用者の腹側に位置する腹側部１１と、背側に位置する背側部１２と、腹側部１１と背側部１２との間に位置する股下部１３と、脚周りに位置する二つの脚周り部１４と、を備え、さらに、装着時に着用者との接触面と反対側の面（吸収性物品１の下面）における腹側部１１に設けられ、吸収性物品１を外装体に固定するための固定部材７０を備え、吸収体６０における股下部１３から背側部１２にかけて、背側部１２に向かって間隔が広がるハの字型の一対の第１スリットＳ１，Ｓ１が設けられている。
すなわち、固定部材７０を備えることで、吸収性物品１が外装体からズレてしまうことを抑制できる。さらに、第１スリットＳ１，Ｓ１を設けることで、吸収体６０が着用者の身体の動きに追従し易くなるため、吸収体６０がヨレたりワレたりしてしまうことを抑制でき、また、第１スリットＳ１，Ｓ１の位置で吸収性物品１が折れ曲がるため、ごわつきを軽減できる。したがって、液漏れし難く装着感の良い吸収性物品１を提供することができる。
【００２９】
具体的には、固定部材７０を備えることで、装着時に着用者が寝返りを打ったり体位変換を行ったりして脚を動かしても、吸収性物品１が外装体からズレ難くなるため、液漏れし難くなる。また、吸収性物品１は夜用又は長時間用の尿取りパッドであり、寝ている姿勢をとった状態で使用されることが多いため、特に仰向けで寝ている場合には、背側に体圧がかかり背側はズレ難いが、腹側部１１に固定部材７０を備えることで、腹側もズレ難くなって、好適である。
また、第１スリットＳ１，Ｓ１を設けることで、固定部材７０により吸収性物品１が外装体に固定されていても、吸収体６０が着用者の身体の動きに追従し易くなるため、吸収体６０が吸収性物品１の内部でヨレたりワレたりすることを抑制できる。したがって、液漏れし難くなり、また、装着時に着用者との接触面（吸収性物品１の上面）に溝や山ができ難くなるため、体液を効率よく吸収でき、肌への負担も軽減できる。
また、第１スリットＳ１，Ｓ１を設けることで、装着時に着用者が脚を組んだり横向けで寝たりする等して着用者の股下の間隔が狭くなっても、第１スリットＳ１，Ｓ１の位置で吸収性物品１が折れ曲がるため、ごわつきが軽減し、装着感が良くなる。
また、第１スリットＳ１，Ｓ１を設けることで、吸収体６０における股下部１３に吸収された体液を、吸収体６０における背側部１２に向けて誘導して、拡散させることができるため、吸収体６０の吸収速度を向上させることができる。
【００３０】
また、以上説明した本実施形態の吸収性物品１によれば、吸収体６０は、裏面シート３０側に配置された下層吸収体６２２と、表面シート２０側に配置され、下層吸収体６２２よりも吸収速度が速い上層吸収体６２１と、からなる吸収体コア６２を備えている。
したがって、体液を、上層吸収体６２１で素早く吸収して、下層吸収体６２２で保持することができ、体液を肌から素早く遠ざけることができるため、着用者の不快感や肌への負担を軽減することができる。
【００３１】
また、以上説明した本実施形態の吸収性物品１によれば、下層吸収体６２２は、上層吸収体６２１よりも幅広に形成されており、第１スリットＳ１，Ｓ１は、下層吸収体６２２に設けられている。
すなわち、下層吸収体６２２は、上層吸収体６２１よりも幅広に形成されているので、着用者の身体の動きに応じて上層吸収体６２１よりも大きく動くが、その下層吸収体６２２に第１スリットＳ１，Ｓ１が設けられているため、第１スリットＳ１，Ｓ１による吸収体６０のヨレやワレの抑制、第１スリットＳ１，Ｓ１の位置での吸収性物品１の折り曲げ、を効率良く行うことができる。
【００３２】
また、以上説明した本実施形態の吸収性物品１によれば、表面シート２０側の吸収体６０の幅方向両側縁部で起立した一対の立体ギャザーを形成するためのギャザーシート５０，５０及び立体ギャザー用弾性部材５０１，５０１と、吸収性物品１における股下部１３の両側縁部に平面ギャザーを形成するための平面ギャザー用弾性部材１４１，１４１と、を備えている。
すなわち、吸収性物品１は、立体ギャザーと平面ギャザーを備えている。
したがって、立体ギャザーを備えることで、吸収性物品１における股下部１３と着用者の股下との間に隙間ができ難いため、液漏れを抑制することができる。
さらに、平面ギャザーを備えることで、着用者の脚周りに伸縮自在にフィットし、また、平面ギャザーによって吸収性物品１が自然に湾曲し、立体ギャザーを着用者の股下により密着させることができるため、液漏れを効率良く抑制することができる。また、平面ギャザーを備えることで、着用者の身体の動きに追従し易くなるため、吸収性物品１が外装体からズレ難くなる。
【００３３】
また、以上説明した本実施形態の吸収性物品１によれば、裏面シート３０の表面シート２０側の面と反対側の面（下面）を覆う不織布からなるバックシート４０を備えている。
したがって、裏面シート３０の傷付きを防止することができ、また、クロスライクさが得られるため、見た目にムレ難さを与えることができるとともに、着用者の肌への負担を軽減できる。
【００３４】
なお、本発明は、上記した実施の形態のものに限るものではなく、その要旨を逸脱しない範囲で適宜変更可能である。
【００３５】
＜変形例１＞
上記実施形態において、第１スリットＳ１，Ｓ１の形状は、吸収体６０における股下部１３から背側部１２にかけて、背側部１２に向かって間隔が広がるハの字型であれば任意であり、例えば、図８に示す吸収体６０を構成する下層吸収体６２２に設けられた第１スリットＳ１Ａ，Ｓ１Ａのように、第１スリット同士の間隔が一定の部分を有していても良い。
具体的には、第１スリットＳ１Ａ，Ｓ１Ａは、股下部１３側の端部（前端部）の間隔が一定であり、それ以外の部分の間隔が背側部１２に向かって広がっている。第１スリットＳ１Ａ，Ｓ１Ａは、脚の付け根により一層沿った形状であるため、吸収体６０の追従性が向上することになる。
【００３６】
＜変形例２＞
上記実施形態において、上層吸収体６２１は、例えば、図９に示す吸収体６０を構成する上層吸収体６２１Ｂのように、吸収体６０における腹側部１１の左右方向中央の位置に、前後方向に沿って設けられた第２スリットＳ２を備えるものであっても良い。
変形例２によれば、吸収体６０における腹側部１１には、吸収体６０の幅方向中央の位置に、吸収体６０の長手方向に沿って第２スリットＳ２が設けられているため、吸収体６０における股下部１３に吸収された体液を、第１スリットＳ１，Ｓ１に向けて誘導して拡散させることができるため、吸収体６０の吸収速度をより向上させることができる。
なお、変形例２の内容は、変形例１と組み合わせても良い。
【００３７】
＜変形例３＞
上記実施形態において、固定部材７０は、装着時に着用者との接触面と反対側の面（吸収性物品１の下面）における少なくとも腹側部１１に備えられているのであれば、その形状は任意であり、例えば、図１０に示す吸収性物品１が備える固定部材７０Ｃのように、前後方向に長尺であっても良いし、図１１に示す吸収性物品１が備える固定部材７０Ｄのように、左右方向に長尺であっても良いし、図１２に示す吸収性物品１が備える固定部材７０Ｅのように、Ｔ字状であっても良い。
図１０に示す固定部材７０Ｃによれば、前後方向に長尺であるため、吸収性物品１のセンターズレを抑制することができるため、ズレ難く、液漏れを抑制することができる。
また、図１１に示す固定部材７０Ｄによれば、左右方向に長尺であるため、吸収性物品１の幅方向両端部のめくれを抑制できるため、ズレ難く、液漏れを抑制することができる。
また、図１２に示す固定部材７０Ｅによれば、固定部材７０Ｃと固定部材７０Ｄとを一体化した形状であるため、吸収性物品１のセンターズレを抑制することができるとともに、吸収性物品１の幅方向両端部のめくれを抑制できるため、よりズレ難く、より液漏れを抑制することができる。
【００３８】
＜変形例４＞
上記実施形態において、吸収性物品１が備える固定部材７０の個数は、その固定部材７０が装着時に着用者との接触面と反対側の面（吸収性物品１の下面）における少なくとも腹側部１１に設けられているのであれば任意であり、例えば、図１３に示す吸収性物品１Ｆのように、複数個の固定部材７０を備えていても良い。
具体的には、吸収性物品１Ｆは、左右方向に並ぶ二個の固定部材７０を備えている。
吸収性物品１Ｆによれば、左右方向に並ぶ二個の固定部材７０を備えているため、吸収性物品１Ｆの幅方向両端部のめくれを抑制できるため、ズレ難く、液漏れを抑制することができる。
なお、変形例４において、固定部材７０が並ぶ方向は、左右方向に限ることはなく任意であり、例えば、前後方向であっても良い。複数個の固定部材７０が前後方向に並んでいる場合、吸収性物品１のセンターズレを抑制することができる。
なお、変形例４の内容は、変形例３と組み合わせても良い。
【００３９】
＜変形例５＞
上記実施形態において、下層吸収体６２２は、例えば、図１４に示す吸収性物品１が備える吸収体６０を構成する下層吸収体６２２Ｇのように、吸収体６０における股下部１３から背側部１２にかけて、背側部１２に向かって間隔が広がるハの字型の一対の第１凹部Ｒ１，Ｒ１が設けられたものであっても良い。すなわち、下層吸収体６２２は、第１スリットＳ１，Ｓ１に代えて、第１凹部Ｒ１，Ｒ１が設けられたものであっても良い。
第１凹部Ｒ１は、図１４に示すように上方向に向かって陥没した凹部であっても良いし、下方向に向かって陥没した凹部であっても良い。
なお、変形例５の内容は、変形例１や変形例２と組み合わせても良い。
また、変形例２において、上層吸収体６２１Ｂは、第２スリットＳ２に代えて、吸収体６０における腹側部１１の左右方向中央の位置に、前後方向に沿って設けられた、上方向又は下方向に向かって陥没した第２凹部を備えるものであっても良い。
【００４０】
なお、上記実施形態及び変形例１〜５において、第１スリットＳ１，Ｓ１Ａ、第１凹部Ｒ１は、下層吸収体６２２，６２２Ｇではなく、上層吸収体６２１，６２１Ｂに備えられていても良い。
また、第２スリットＳ２、第２凹部は、上層吸収体６２１Ｂではなく、下層吸収体６２２，６２２Ｇに備えられていても良い。
【００４１】
また、上記実施形態及び変形例１〜５において、吸収体コア６２は、上層吸収体６２１を備えていなくても良く、下層吸収体６２２のみを備える一層構造であっても良いし、また、三層以上の多層構造であっても良い。
また、上記実施形態及び変形例１〜５において、吸収体コア６２が多層構造である場合、複数の層に、第１スリットＳ１，Ｓ１Ａ、第２スリットＳ２、第１凹部Ｒ１及び第２凹部のうちの少なくとも何れか１つが設けられていても良い。
【００４２】
また、上記実施形態及び変形例１〜５において、吸収性物品１，１Ｆは、バックシート４０を備えていなくても良い。この場合、固定部材７０，７０Ｃ，７０Ｄ，７０Ｅは、高分子シート材からなる裏面シート３０に取り付けられるため、固定部材７０，７０Ｃ，７０Ｄ，７０Ｅが粘着テープであっても、吸収性物品１，１Ｆを外装体から取り外した際に固定部材７０，７０Ｃ，７０Ｄ，７０Ｅが外装体に残り難く、きれいに剥がすことができる。
【００４３】
また、上記実施形態及び変形例１〜５において、吸収性物品１，１Ｆは、平面ギャザーが股下部１３のみに備えられたものに限ることはなく、例えば、股下部１３及び背側部１２に平面ギャザーが備えられたものであっても良い。背側部１２にも平面ギャザーを備えた場合、吸収性物品１，１Ｆが幅方向に湾曲し易くなるため、より液漏れし難くなる。
また、上記実施形態及び変形例１〜５において、吸収性物品１，１Ｆは、平面ギャザー及び立体ギャザーの何れか一方のみを備えるものであっても良い。
【００４４】
また、上記実施形態及び変形例１〜５において、吸収性物品１，１Ｆは、夜用又は長時間用の尿取りパッドに限るものではなく、透液性の表面シート２０と、不透液性の裏面シート３０と、表面シート２０と裏面シート３０との間に介装される吸収体６０と、を備える吸収パッドであれば任意である。
【符号の説明】
【００４５】
１，１Ｆ  吸収性物品
１１  腹側部
１２  背側部
１３  股下部
１４  脚周り部
２０  表面シート
３０  裏面シート
４０  バックシート
５０  ギャザーシート
６０  吸収体
６２  吸収体コア
７０，７０Ｃ，７０Ｄ，７０Ｅ  固定部材
１４１  平面ギャザー用弾性部材
５０１  立体ギャザー用弾性部材
６２１，６２１Ｂ  上層吸収体
６２２，６２２Ｇ  下層吸収体
Ｒ１  第１凹部（凹部）
Ｓ１，Ｓ１Ａ  第１スリット（スリット）
Ｓ２  第２スリット
【図１】
2010269002.tif 000003
【図２】
2010269002.tif 000004
【図３】
2010269002.tif 000005
【図４】
2010269002.tif 000006
【図５】
2010269002.tif 000007
【図６】
2010269002.tif 000008
【図７】
2010269002.tif 000009
【図８】
2010269002.tif 000010
【図９】
2010269002.tif 000011
【図１０】
2010269002.tif 000012
【図１１】
2010269002.tif 000013
【図１２】
2010269002.tif 000014
【図１３】
2010269002.tif 000015
【図１４】
2010269002.tif 000016